(57)【要約】【課題】入射角度が変化しても均一な配光分布を実現する面状構造体に用いることができる光拡散糸を提供する。【解決手段】ほぼ円形の横断面を有する光透過性で且つその表面が実質的な鏡面である単繊維２を４本単層に且つ並列に並べ、隣り合う単繊維２を互いに融着または溶着して固定することにより形成された平糸３に撚りが付与されている。撚りは、平糸３の幅の５倍の長さで１回を越える頻度で、光拡散糸１の全長にわたって連続的に与えられている。この撚りにより、光拡散糸１の長手方向に沿って平糸３の表面と裏面が周期的に逆転し、各単繊維２の長軸の向きも光拡散糸１の長手方向に沿って連続的に変化する。このため、光拡散糸１に平行光が入射した場合、平行光の入射角度が一定であっても、光拡散糸１の長手方向の個々の部分に応じて円錐面状の拡散光の中心軸の方向が互いに異なり、撚りの１周期において広い範囲に拡散光を生じる。【選択図】図２
2007303125.tif 000002
【特許請求の範囲】
【請求項１】
所定の径または幅を有し且つ光透過性または光反射性を有する糸であって、
互いにほぼ並列に近接して並ぶ複数の突条が表面上に形成され、各突条は少なくともほぼ円の一部の横断面を有し且つ実質的な鏡面からなる表面を有すると共に前記所定の径または幅の５倍の長さで１回を越える撚りを有することを特徴とする光拡散糸。
【請求項２】
前記突条は、ほぼ円形の横断面を有する光透過性または光反射性の単繊維からなる請求項１に記載の光拡散糸。
【請求項３】
複数本の単繊維が、単層または複層に且つ並列に並べられて互いに固定された平糸を形成し、この平糸が撚られた請求項２に記載の光拡散糸。
【請求項４】
複数の平糸が互いに撚り合わされた請求項３に記載の光拡散糸。
【請求項５】
複数本の単繊維が、互いに束ねられた状態で撚り合わされた請求項２に記載の光拡散糸。
【請求項６】
複数本の単繊維が、互いに編み合わされた請求項２に記載の光拡散糸。
【請求項７】
請求項１〜６のいずれかに記載の光拡散糸を縦糸及び横糸の少なくとも一方として織り込んだあるいは編み込んだ面状構造体。
【請求項８】
面状支持体を備え、請求項１〜６のいずれかに記載の光拡散糸を前記面状支持体に縫い込んだ、または編み込んだ、または刺繍した面状構造体。
【請求項９】
請求項１〜６のいずれかに記載の多数の光拡散糸を互いにほぼ並列に近接した状態で保持した面状構造体。
【請求項１０】
面状支持体を備え、多数の光拡散糸は前記面状支持体上に配列固定された請求項９に記載の面状構造体。
【請求項１１】
それぞれ少なくともほぼ円の一部の横断面を有し且つ実質的な鏡面からなる表面を有すると共に互いにほぼ並列に近接して並ぶ複数の突条が表面上に形成された光拡散性を有する糸を縦糸及び横糸の少なくとも一方として織り込んだあるいは編み込んだ面状構造体であって、
各縦糸は複数本の横糸毎に横糸の表裏を交互に通り、
各横糸は複数本の縦糸毎に縦糸の表裏を交互に通る
ことを特徴とする面状構造体。
【請求項１２】
横糸が縦糸の表裏を交互に通る位相が隣り合う横糸毎に縦糸所定の本数ずつずれている、または縦糸が横糸の表裏を交互に通る位相が隣り合う縦糸毎に横糸所定の本数ずつずれている請求項１１に記載の面状構造体。
【請求項１３】
光拡散性を有する糸の突条は、ほぼ円形の横断面を有する光透過性または光反射性の単繊維からなる請求項１１または１２に記載の面状構造体。
【請求項１４】
光拡散性を有する糸は、複数本の単繊維が単層または複層に且つ並列に並べられて互いに固定された平糸である請求項１３に記載の面状構造体。
【請求項１５】
光拡散性を有する糸は、請求項１〜６のいずれかに記載の光拡散糸である請求項１３に記載の面状構造体。
【請求項１６】
布状の柔軟性を有する請求項７〜１５のいずれかに記載の面状構造体。
【請求項１７】
板状の剛性を有する請求項７〜１５のいずれかに記載の面状構造体。
【発明の詳細な説明】
【技術分野】
【０００１】
この発明は、光拡散糸及び面状構造体に係り、特に光拡散特性の優れた光拡散糸及び面状構造体に関する。
【背景技術】
【０００２】
外光を室内に採り入れるカーテン生地として、図１７に示されるように、断面形状がほぼ円形の単繊維４本を横並びに融着または溶着して連ねることにより平糸を造り、さらにこの平糸を３０本ほど複層に且つ扁平に保持して帯を造り、この帯を用いて織った布が製造され、利用されている。
【０００３】
また、本出願人の出願による特許文献１〜３には、それぞれ「互いに平行で且つ十分に近接して並ぶ多数の突条を有すると共にその突条の長手方向に直交する突条の断面がほぼ円の一部を形成し、それらの突条の表面が実質的な鏡面である構造体」を用いた配光制御装置が開示されている。特許文献３には、さらに、「このような突条の並びに入射する光線は、入射点を通り且つ突条に平行な線を中心軸として、光透過体においては円錐面状に、光反射体においては半円錐面状に拡散され、かかる拡散光の密度分布は突条の幅が小さくなるにしたがって均一化される傾向を有する」という「光拡散特性」を有することが示されている。
また、特許文献１及び２には、多数の単繊維を織り込んだ織物からなる透明体が開示されている。
【０００４】
【特許文献１】特開２０００−１７７６０号公報
【特許文献２】特開２００２−８１２７５号公報
【特許文献３】特開２００６−７３３６６号公報
【発明の開示】
【発明が解決しようとする課題】
【０００５】
前述のカーテン生地や特許文献１及び２に開示された布に用いられる単繊維や突条は、いずれも直線状に延伸したものであるため、入射陽光の室内への配光は、その時点の太陽の位置に依存して偏りの大きいものとなり、一日の太陽の位置の移動に伴って室内での配光分布が大きく変わってしまう。
【０００６】
また、前述のカーテン生地や特許文献１及び２に開示された布は、前述の帯や単繊維の束を縦糸と横糸として用い、横糸が縦糸１本毎に縦糸の表と裏を交互に通り、同様に縦糸が横糸１本毎に横糸の表と裏を交互に通るように織ったものである。この織り方では、隣り合う縦糸同士の間隔及び隣り合う横糸同士の間隔が大きくなり、織り目に隙間が形成されやすくなる。
このため、このような織り方の織物をカーテンとして用いて採光を行うと、織り目の隙間を通り抜けて直接室内に入る直射日光が多くなり、これが室内において眩しい日差しとなる。
【０００７】
この発明は、このような問題点を解消するためになされたもので、入射角度が変化しても均一な配光分布を実現することができる面状構造体を得ることを目的とする。
また、この発明は、このような面状構造体に用いることができる光拡散糸を得ることも目的としている。
さらに、この発明の他の目的は、配光を行いつつも眩しさを低減することができる面状構造体を得ることである。
【課題を解決するための手段】
【０００８】
この発明に係る光拡散糸は、所定の径または幅を有し且つ光透過性または光反射性を有する糸であって、互いにほぼ並列に近接して並ぶ複数の突条が表面上に形成され、各突条は少なくともほぼ円の一部の横断面を有し且つ実質的な鏡面からなる表面を有すると共に前記所定の径または幅の５倍の長さで１回を越える撚りを有するものである。
【０００９】
ここで、「実質的な鏡面」は以下のように定義することができる。
構造体の所定の表面の凹凸が光の波長に比べ十分小さい面への入射光は鏡面反射をし、一方、凹凸が光の波長と同程度かそれ以上のときは乱反射（拡散反射）をすることが知られている。鏡面反射をする表面は一般に「鏡面」と呼ばれる。
対象とする表面の大部分が「鏡面」あるいは概ね均一に分散された「鏡面」により構成されている場合、所定表面の面積に対する鏡面部面積の総和の割合（鏡面率とする）がその面の用途において妥当な範囲にあると考えられるものを「実質的鏡面」と定義する。例えば、鏡はその求められる機能上、入射光の大部分が鏡面反射をしなければならず、鏡面率はおよそ０．９以上であろう。
【００１０】
なお、突条は、ほぼ円形の横断面を有する光透過性または光反射性の単繊維から形成することができる。
複数本の単繊維が、単層または複層に且つ並列に並べられて互いに固定された平糸を形成し、この平糸を撚ることによって光拡散糸を得ることもできる。さらに、複数の平糸を互いに撚り合わせてもよい。
また、複数本の単繊維が、互いに束ねられた状態で撚り合わされる、あるいは互いに編み合わされてもよい。
【００１１】
この発明に係る第１の面状構造体は、上記の光拡散糸を縦糸及び横糸の少なくとも一方として織り込んだあるいは編み込んだものである。
この発明に係る第２の面状構造体は、上記の光拡散糸を面状支持体に縫い込んだ、または編み込んだ、または刺繍したものである。
この発明に係る第３の面状構造体は、上記の多数の光拡散糸を互いにほぼ並列に近接した状態で保持したものである。この場合、多数の光拡散糸を面状支持体上に配列固定する構成とすることができる。
【００１２】
この発明に係る第４の面状構造体は、それぞれ少なくともほぼ円の一部の横断面を有し且つ実質的な鏡面からなる表面を有すると共に互いにほぼ並列に近接して並ぶ複数の突条が表面上に形成された光拡散性を有する糸を縦糸及び横糸の少なくとも一方として織り込み、あるいは編み込み、各縦糸は複数本の横糸毎に横糸の表裏を交互に通り、各横糸は複数本の縦糸毎に縦糸の表裏を交互に通るものである。横糸が縦糸の表裏を交互に通る位相が隣り合う横糸毎に縦糸所定の本数ずつずれる、または縦糸が横糸の表裏を交互に通る位相が隣り合う縦糸毎に横糸所定の本数ずつずれるように構成してもよい。この場合、光拡散性を有する糸の突条は、ほぼ円形の横断面を有する光透過性または光反射性の単繊維から形成することができる。複数本の単繊維が、単層または複層に且つ並列に並べられて互いに固定された平糸を形成しても、あるいはこのような単繊維の並びを撚り合わせた糸を用いてもよい。また、横糸と縦糸の役割を互いに替えてもよい。さらに、光拡散性を有する糸として、上記の光拡散糸を用いることもできる。
上記の第１〜第４の面状構造体は、布状の柔軟性を有していてもよく、あるいは板状の剛性を有していてもよい。
【発明の効果】
【００１３】
この発明によれば、光拡散特性の優れた光拡散糸を得ることができ、この光拡散糸を用いることにより入射角度が変化しても均一な配光分布を実現することができる面状構造体が得られる。
また、各縦糸が複数本の横糸毎に横糸の表裏を交互に通り、各横糸が複数本の縦糸毎に縦糸の表裏を交互に通るように、光拡散性を有する糸を縦糸及び横糸の少なくとも一方として織り込む、あるいは編み込むことにより、織り目あるいは編み目の隙間が少なくなり、配光を行いつつも眩しさを低減することが可能となる。
【発明を実施するための最良の形態】
【００１４】
以下、この発明の実施の形態を添付図面に基づいて説明する。
本願発明者は、種々の径の光ファイバ及び丸棒を用いて突条を有する光拡散構造体を試作し、拡散の配光分布を調べた結果、多数の突条が互いに平行で且つ十分に近接して並べられ、各突条の断面の曲縁が円弧であり、突条の表面がほぼ鏡面を示す場合には、構造体の表面のある点ｉに入射する光線Ａは、上述の突条の並びによる回折効果により、反射においても透過においても、点ｉを頂点とする円錐の面状に拡散し、かかる拡散光束において、拡散反射光束は縦半分の円錐の面状に拡がり、拡散透過光束は残る縦半分の円錐の面状に拡がることを判明した。
【００１５】
かかる円錐の面状の拡散は、さらに次のような特性を有する。まず、図１に示すように、点ｉを通り、突条Ｕの長手方向に平行な直線をＹ軸とし、これと直交するＸ軸及びＺ軸を加える直交座標系を想定する。この直交座標系において、平面状の構造体の厚さを無視することにすると、ＹＺ面が当該構造体となり、これを面Ｓとし、点ｉの下方の座標原点ＯでＹ軸と直交するＸＺ面を面Ｔ、点ｉを通りＺ軸に平行な軸をＺ’軸、Ｚ’軸を含み面Ｓと鋭角αで交錯する面を面Ｐとする。
【００１６】
面Ｐ上を進み、点ｉにおいて面Ｓに入射する光線Ａは、面Ｓを鏡面と想定した場合の反射光線及び透過光線と面Ｔとの交点をそれぞれａ及びａ’とし、これらの点ａ及びａ’と原点Ｏとを結ぶ線分Ｏａ、Ｏａ’を半径とする円の半周がそれぞれ光線Ａの拡散反射光束及び拡散透過光束の面Ｔによる断面となる。ここで、当該構造体の面Ｓへの入射光線Ｂのように、その入射点ｉを通り且つ突条Ｕと平行で面Ｓに直交するＸＹ面と交わる鋭角βが大きくなるに従って、拡散光束の拡がりは大きくなることとなる。
【００１７】
また、その拡散光束の拡散方向における輝度は、面Ｓを平面の鏡面と想定した場合の反射光線及び透過光線の方向を最大値とし、この最大値の方向より離れるに従ってその輝度は最大値の方向との角度に対するある一様な関係で低くなる。このような拡散光束の拡散方向における輝度分布（以下、拡散光束の輝度分布とする）は、突条断面の円周角、最大径、突条相互の近接の度合いを選択することによって、より均一な分布とすることができる。
【００１８】
これらの選択の例として、半径１ｍｍ、０．５ｍｍ、０．１２５ｍｍのそれぞれの突条に対して突条断面の円周角及び突条相互間の間隔を変化させ、以下に述べるこの発明の適用分野における配光制御装置としての性能の許容度を技術者Ｈ１、市場開発者Ｈ２、営業予定者Ｈ３の計３名によりそれぞれ評価した。その評価結果を次の表１に示す。なお、評価は、１：適用可能、２：使用目的によって適用の可否が別れる、３：適用困難の３段階に分けて行われた。
【００１９】
【表１】
2007303125.tif 000003
【００２０】
実施の形態１．
図２に実施の形態１に係る光拡散糸１を示す。この光拡散糸１は、図３に示されるように、ほぼ円形の横断面を有する光透過性の単繊維２を４本単層に且つ並列に並べ、隣り合う単繊維２を互いに融着または溶着して固定することにより平糸３を形成し、この平糸３を撚ったものである。このとき、平糸３の幅Ｗの５倍の長さで１回を越える撚りが与えられる。図２に示した光拡散糸１では、平糸３の幅Ｗの４倍の長さでほぼ１回の撚りを有している。
なお、各単繊維２の表面は実質的な鏡面となっており、４本の単繊維２がこの発明における突条を形成している。また、単繊維２は、例えば熱可塑性ポリマー等から製造することができる。
【００２１】
このような撚りは、光拡散糸１の全長にわたって連続的に与えられている。この撚りにより、光拡散糸１の長手方向に沿って平糸３の表面と裏面が周期的に、具体的には平糸３の幅Ｗの４倍の長さでほぼ１回ずつ逆転し、各単繊維２の長軸の向きも光拡散糸１の長手方向に沿って連続的に変化する。このため、図１を用いて説明した各単繊維２による円錐面状の拡散光の中心軸の方向も光拡散糸１の長手方向に沿って連続且つ周期的に変化することとなる。従って、例えば光拡散糸１に平行光が入射した場合、平行光の入射角度が一定であっても、光拡散糸１の長手方向の個々の部分に応じて円錐面状の拡散光の中心軸の方向が互いに異なり、撚りの１周期において広い範囲に拡散光を生じることができる。
【００２２】
平糸３に与えた撚りの度合いが高まるほど、各単繊維２の長軸の向きが光拡散糸１の長手方向に沿って大きく変化するので、拡散光はより広い範囲に向かって発せられることとなる。
例えば、平糸３の幅Ｗの２倍の長さでほぼ１回の撚りを与えた場合には、平糸３の幅方向両端部における単繊維２の向きは互いにほぼ直交し、光拡散糸１に入射する光は、撚りの１周期においてほぼ全方向に拡散する。
【００２３】
なお、単繊維２の本数は４本に限るものではなく、複数本の単繊維２を並列に並べて平糸３を形成すればよい。また、複数本の単繊維２を単層に並べる代わりに、図４に示されるように、複層に且つ並列に並べて互いに固定することにより平糸４を形成し、この平糸４を撚ってもよい。
【００２４】
実施の形態２．
図５に実施の形態２に係る光拡散糸１１を示す。この光拡散糸１１は、実施の形態１と同様に、２本の単繊維２を並列に並べて互いに融着または溶着して固定することにより平糸１２を形成し、この平糸１２を２本互いに撚り合わせたものである。このとき、撚り合わせた２本の平糸１２の全体の幅の５倍の長さで１回を越える撚りが与えられる。図５に示した光拡散糸１１は、２本の平糸１２の全体の幅の４倍の長さでほぼ１回の撚りを有している。
この光拡散糸１１においても、各単繊維２の長軸の向きが光拡散糸１１の長手方向に沿って連続且つ周期的に変化し、実施の形態１の光拡散糸１と同様の効果を有する。
なお、平糸１２は２本の単繊維２を並べたものに限らず、図３のように４本の単繊維２、あるいは他の本数の単繊維２を並列に並べた平糸を用いることもできる。さらに、複数の単繊維２を複層に且つ並列に並べて互いに固定した平糸を用いてもよい。
【００２５】
実施の形態３．
図６に実施の形態３に係る光拡散糸２１を示す。この光拡散糸２１は、複数本の単繊維２を互いに束ねた状態で紐状に撚り合わせたものである。このとき、光拡散糸２１の径の５倍の長さで１回を越える撚りが与えられる。
この光拡散糸２１においても、各単繊維２の長軸の向きが光拡散糸２１の長手方向に沿って連続且つ周期的に変化し、実施の形態１及び２の光拡散糸１及び１１と同様の効果を有する。
また、それぞれ複数の単繊維２を並べた複数の平糸を束ねて紐状に撚り合わせることもできる。
【００２６】
実施の形態４．
図７に実施の形態４に係る光拡散糸３１を示す。この光拡散糸３１は、図３に示した４本の単繊維２からなる平糸３を３本用い、これらの平糸３を三つ編みに編み合わせたものであり、扁平な紐状に形成されている。
このように編み合わせることにより、各単繊維２に光拡散糸３１の径または幅の５倍の長さで１回を越える撚りが与えられる。光拡散糸３１に曲がりや反りが加えられても、３本の平糸３の相対位置はほとんど変わることがなく、また編みを堅くすることにより、平糸３同士の近接度を良好に保つことができる。
編み合わせにより、光拡散糸３１の長手方向に沿って各平糸３の扁平な面が蛇行し、光拡散糸３１に光が入射した場合に、円錐面状の透過拡散の中心軸は光の入射部における単繊維２の接線方向と平行になるため、拡散光が広い範囲に及ぶこととなる。
レーザポインタを用いて光拡散糸３１にレーザビームを照射したところ、拡散光はほぼ４５度の範囲に広がった。
【００２７】
４本の単繊維２を並列に並べた平糸３の代わりに図５に示した２本の単繊維２からなる平糸１２を三つ編みにすることにより、図８に示される光拡散糸４１を形成することもできる。さらに、他の本数の単繊維２を並列に並べた平糸を用いることもでき、複数の単繊維２を複層に且つ並列に並べて互いに固定した平糸を用いてもよい。
なお、３本の平糸に限るものではなく、２本あるいは４本以上の平糸を編み合わせてもよい。
また、平糸ではなく、複数本の単繊維２を互いに編み合わせて光拡散糸を形成することもできる。
【００２８】
実施の形態５．
図９に示されるように、長方形の一対の長辺上にそれぞれ４つの半円が互いに近接して配列された断面形状を有する平糸５を製造した。長方形の各長辺上の４つの半円がそれぞれこの発明における突条に対応しており、実質的な鏡面である表面を有している。
このような平糸５は、この平糸５の断面形状と同じ形状のノズル開口を有する口金から例えば温度３００℃でポリエチレンテレフタレートを紡出し、延伸することにより製造することができる。なお、ポリエチレンテレフタレートに３．５重量％程度以下の艶消し剤を含ませることもできる。
この平糸５を実施の形態１の平糸３、実施の形態２の平糸１２、実施の形態３の単繊維２、実施の形態４の平糸３の代わりに用いてそれぞれ光拡散糸を形成することができる。
なお、実施の形態１にこの平糸５を適用する場合には、平糸５が撚りを有するように、口金から紡出させた直後に撚りを与えて、そのまま冷却固化させることもできる。
【００２９】
実施の形態６．
上記の実施の形態１〜５に記載の光拡散糸１、１１、２１、３１、４１のいずれかを縦糸及び横糸の少なくとも一方として織り込む、あるいは編み込むことにより、光拡散特性を有する織り布、編み布等の面状構造体を形成することができる。
なお、織り方、編み方については限定されるものではない。
このとき、光拡散糸１、１１、２１、３１、４１のいずれかを縦糸及び横糸の双方に用いてもよく、光拡散糸１、１１、２１、３１、４１のうちの２つをそれぞれ縦糸と横糸に用いてもよい。さらに、縦糸及び横糸の一方のみに光拡散糸１、１１、２１、３１、４１のいずれかを使用し、他方には光拡散糸１、１１、２１、３１、４１以外の糸（光拡散特性を有しない種類の糸を含む）を使用することもできる。
このような面状構造体においては、縦糸及び横糸の少なくとも一方として用いられた光拡散糸１、１１、２１、３１、４１が広範囲に拡散光を生じさせるため、この面状構造体に太陽光を照射させることにより、その時点の太陽の位置に大きく依存することなく、すなわち太陽の位置が移動しても、室内に均一な分布で配光を行うことが可能となる。
【００３０】
実施の形態７．
フィルム状または板状の透明な面状支持体あるいは網状の面状支持体に上記の実施の形態１〜５に記載の光拡散糸１、１１、２１、３１、４１のいずれかを縫い込む、または編み込む、または刺繍することにより、光拡散特性を有する面状構造体を形成することができる。
このような面状構造体においても、光拡散糸１、１１、２１、３１、４１が広範囲に拡散光を生じさせるため、実施の形態６と同様に、室内に均一な分布で配光を行うことが可能となる。
【００３１】
実施の形態８．
図１０に実施の形態８に係る面状構造体を示す。透明な面状支持体６の表面上に、上記の実施の形態１〜５に記載の光拡散糸１、１１、２１、３１、４１のいずれかを多数本互いにほぼ並列に近接した状態で配列し、固定したものである。
この面状構造体においても、配列固定された光拡散糸１、１１、２１、３１、４１が広範囲に拡散光を生じさせるため、実施の形態６及び７と同様に、室内に均一な分布で配光を行うことが可能となる。
なお、一対の透明な面状支持体６の間に多数本の光拡散糸１、１１、２１、３１、４１を配列し、挟持させてもよい。
【００３２】
実施の形態９．
図１１に実施の形態９に係る面状構造体を示す。図３に示した平糸３を縦糸及び横糸として用いて織り込むことにより、布状の面状構造体を得ることができる。ここで、各縦糸は複数本の横糸毎に横糸の表裏を交互に通り、各横糸は複数本の縦糸毎に縦糸の表裏を交互に通るように織り込まれる。さらに、横糸が縦糸の表裏を交互に通る位相が隣り合う横糸毎に縦糸１本ずつずれるように構成されている。
すなわち、図１１に示されるように、横糸Ｙ１を、縦糸Ｔ１の前面を通した後、縦糸Ｔ２、Ｔ３の背面に、次いで縦糸Ｔ４、Ｔ５の前面に、さらに縦糸Ｔ６、Ｔ７の背面に・・・と縦糸２本ずつの背面と前面に交互に通す。横糸Ｙ１に隣接する次の横糸Ｙ２は、縦糸Ｔ１、Ｔ２の前面を通した後、縦糸Ｔ３、Ｔ４の背面に、次いで縦糸Ｔ５、Ｔ６の前面に、さらに縦糸Ｔ７、Ｔ８の背面に・・・と、横糸が縦糸の背面と前面を通る位相を隣り合う横糸毎に縦糸１本ずつ一定方向にずらす。
このとき、縦糸１本ずつではなく、横糸が縦糸の背面と前面を通る位相を隣り合う横糸毎に縦糸所定の複数本ずつ一定方向にずらしてもよい。
【００３３】
このように横糸が縦糸の背面と前面を通る位相を隣り合う横糸毎に縦糸１本ずつ、または所定の複数本ずつ一定方向にずらす織り方とすることにより、隣り合う縦糸２本の近接した並列の並びと、隣り合う横糸２本の近接した並列の並びが随所に形成される。すなわち、隣り合う糸の近接する度合いが増大すると共に、面状構造体全体で隣り合う糸の近接する領域（面積）が増大する。
【００３４】
例えば、図１２のように、横糸Ｇが縦糸Ｃ、Ｄの１本毎に縦糸Ｃ、Ｄの表と裏を交互に通り、同様に縦糸Ｃ、Ｄが横糸Ｇ１本毎に横糸Ｇの表と裏を交互に通るように織った通常の交錯織りにおいては、縦糸Ｃ、Ｄの水平方向の間隔は少なくとも糸の径以上の値を要し、図１３に示されるように、これら縦糸ＣとＤの近接領域の面積Ｓ１は極めて小さいものとなる。
これに対し、この実施の形態９のように横糸が縦糸の背面と前面を通る位相を隣り合う横糸毎にずらす織り方においては、図１４に示されるように、縦糸Ｄと縦糸Ｅとの水平方向の間隔は小さくなり、縦糸Ｃ、Ｄと縦糸Ｅ、Ｆとの交錯域では、図１５に示されるように、これら縦糸Ｃ、Ｄと縦糸Ｅ、Ｆの近接度が高まり、その近接領域の面積Ｓ２は図１３の通常の交錯織りにおける面積Ｓ１に比べて大幅に増大する。
【００３５】
特に、単繊維の並びにより形成された糸、あるいは突条の並びを持つ弾性に富む材質から作られた平糸を用い、これらが織りの「きつさ」または「圧力」に対して弾性を示す場合は、織り目以外の部分は糸から膨らみ、隣り合う糸の近接する度合いと近接する領域がさらに増大する。このことは、図１を用いて説明した光の回折格子効果の発現の増大につながるものである。
【００３６】
また、この実施の形態９に係る面状構造体では、前述したように、隣り合う縦糸２本の近接した並列の並びと、隣り合う横糸２本の近接した並列の並びが随所に形成されるため、通常の交錯織りに対して、織り目の隙間が少なくなる。従って、この面状構造体を用いて採光を行うと、織り目の隙間を通り抜けて直接室内に入る直射日光が少なくなり、眩しさを低減しつつ室内への配光を行うことができる。
なお、図１１では、縦糸及び横糸としてそれぞれ平糸３を用いたが、これに限るものではない。例えば、図１６に示されるように、縦糸として平糸３を用い、横糸として光拡散特性を有しない糸７を使用することもできる。この場合の横糸は、縦糸の配列を保持するためにのみ用いられている。
【００３７】
また、４本の単繊維２からなる平糸３の代わりに、２本の単繊維２からなる平糸１２、あるいはその他の本数の単繊維２が並べられた平糸を用いることもでき、さらに、上記の実施の形態１〜５に記載の光拡散糸１、１１、２１、３１、４１のいずれかを縦糸及び横糸の少なくとも一方として織り込むこともできる。
さらに、これらの光拡散性を有する糸を縦糸及び横糸の少なくとも一方として図１１あるいは図１６のように編み込んで編み布を形成してもよい。
【００３８】
図１１及び図１６に示した面状構造体では、横糸が縦糸の表裏を交互に通る位相が隣り合う横糸毎に縦糸１本ずつずれるように構成されていたが、これに限るものではなく、横糸が縦糸の表裏を交互に通る位相が隣り合う横糸毎に縦糸２本ずつ、あるいは縦糸３本以上ずれるように構成することもできる。
【００３９】
上述した実施の形態６〜９の面状構造体は、全体として布状の柔軟性を有するように構成することもでき、あるいは、板状の剛性を有するように構成することもできる。面状構造体の用途に応じて柔軟性を持たせるか、剛性を持たせるかを選択すればよい。
上述した実施の形態１〜９においては、光透過性を有する単繊維２、平糸３、４、５及び１２を用いたが、これら単繊維や平糸を光反射体から構成しても、「円錐面状の拡散」が「半円錐面状の拡散」に変わるだけで、他の特性は実施の形態１〜９と同様の効果が得られる。この場合、実施の形態８で用いた透明な面状支持体６の代わりに不透明な面状支持体を用いることもできる。
【００４０】
上記の実施の形態６〜９の面状構造体は、採光器、間仕切り、テントの布地、温室の屋根あるいは壁面、照明器及びバックライトの拡散体等、広範な光エネルギーの利用分野に適用することができる。
【実施例】
【００４１】
突条の円の半径をｒ、突条の周縁の円周角をθ、突条の間隔をｄとして、種々の実験の結果、次の条件を満たす光拡散糸を製造すれば、その光拡散糸を用いて形成された面状構造体により種々の目的を満足させる度合いの拡散効果（回折格子効果）が得られることがわかった。
ｒ≦０．０６２５ｍｍ
θ≧１６０度
ｄ≦５μｍ
なお、突条として単繊維２を用いる場合には、単繊維２の径Ｄを、
Ｄ≦０．１２５ｍｍ
とすればよい。
【図面の簡単な説明】
【００４２】
【図１】この発明の原理を説明するための図である。
【図２】実施の形態１に係る光拡散糸を示す図である。
【図３】実施の形態１で用いられた平糸を示す斜視図である。
【図４】実施の形態１の変形例で用いられた平糸を示す斜視図である。
【図５】実施の形態２に係る光拡散糸を示す図である。
【図６】実施の形態３に係る光拡散糸を示す図である。
【図７】実施の形態４に係る光拡散糸を示す図である。
【図８】実施の形態４の変形例に係る光拡散糸を示す図である。
【図９】実施の形態５で用いられた平糸を示す断面図である。
【図１０】実施の形態８に係る面状構造体を示す斜視図である。
【図１１】実施の形態９に係る面状構造体を示す図である。
【図１２】通常の交錯織りを示す部分断面図である。
【図１３】図１２の縦糸Ｃ，Ｄを図１２の右方から見た側面図である。
【図１４】実施の形態９に係る面状構造体の織り方を示す部分断面図である。
【図１５】図１４の縦糸Ｃ〜Ｆを図１４の右方から見た側面図である。
【図１６】実施の形態９の変形例に係る面状構造体を示す図である。
【図１７】従来のカーテン生地に用いられた平糸を示す断面図である。
【符号の説明】
【００４３】
１、１１，２１，３１，４１  光拡散糸、２  単繊維、３，４，５，１２  平糸、６  面状支持体、７  光拡散特性を有しない糸、Ｙ１，Ｙ２，Ｇ  横糸、Ｔ１〜Ｔ８，Ｃ〜Ｆ  縦糸。
【図１】
2007303125.tif 000004
【図２】
2007303125.tif 000005
【図３】
2007303125.tif 000006
【図４】
2007303125.tif 000007
【図５】
2007303125.tif 000008
【図６】
2007303125.tif 000009
【図７】
2007303125.tif 000010
【図８】
2007303125.tif 000011
【図９】
2007303125.tif 000012
【図１０】
2007303125.tif 000013
【図１１】
2007303125.tif 000014
【図１２】
2007303125.tif 000015
【図１３】
2007303125.tif 000016
【図１４】
2007303125.tif 000017
【図１５】
2007303125.tif 000018
【図１６】
2007303125.tif 000019
【図１７】
2007303125.tif 000020